(57)【要約】【課題】元の画像を損ねることなく、画像の追記及び追記画像の消去を可能とする。【解決手段】画像表示媒体１０は、透明表示基板１２と背面基板１４との間に白色液体１６を封入している。この白色液体中には、多数の黒色磁性粒子２０と赤色帯電粒子が封入されており、黒色磁性粒子及び赤色帯電粒子を用いた画像形成が可能となっている。黒色磁性粒子を用いて画像を形成するときには、磁石等によって黒色磁性粒子を透明表示基板の所望位置へ移動させる。また、赤色帯電粒子を用いた画像の追記、追記した画像の消去を行うときには、非磁性基板１８と透明表示基板の所定位置上方との間に電界を印加し、赤色帯電粒子を透明表示基板側又は背面基板側へ移動する。これにより、黒色磁性粒子によって形成した画像を損ねることなく、画像の追記及び追記画像の消去が可能となる。【選択図】        図１
2004287068.tif 000002
【特許請求の範囲】
【請求項１】
少なくとも一方が画像表示面となる光透過性を有する一対の基板と、
前記一対の基板間に封入され、第１の駆動力によって移動する第１の着色粒子が前記光透過性基板に付着することにより画像を形成可能な第１の着色粒子群と、
前記第１の着色粒子群と共に前記一対の基板間に封入され、前記第１の駆動力と異なる駆動力によって移動する第２の着色粒子が前記光透過性基板に付着することにより画像を形成可能な第２の着色粒子群と、
を含むことを特徴とする画像表示媒体。
【請求項２】
前記第１又は前記第２の着色粒子の何れか一方が、前記一対の基板間に形成される電界によって移動する帯電粒子であることを特徴とする請求項１に記載の画像表示媒体。
【請求項３】
前記帯電粒子が、異なる色に着色された正電荷粒子と、負電荷粒子を含むことを特徴とする請求項２に記載の画像表示媒体。
【請求項４】
前記第１又は前記第２の着色粒子の何れか一方が、前記一対の基板間に形成される磁界によって移動する磁性粒子であることを特徴とする請求項１から請求項３の何れか１項に記載の画像表示媒体。
【請求項５】
前記第１又は第２の着色粒子の何れか他方が帯電粒子であるときに、前記光透過性基板に対向する基板上に、前記帯電粒子を移動する電界を形成可能な非磁性電極が設けられていることを特徴とする請求項４に記載の画像表示媒体。
【請求項６】
前記第１の着色粒子と前記第２の着色粒子が異なる色に着色されていることを特徴とする請求項１から請求項５の何れか１項に記載の画像表示媒体。
【請求項７】
対で配置された少なくとも一方が光透過性の基板間に、第１の駆動力によって移動する第１の着色粒子によって形成される第１の着色粒子群及び、前記第１の駆動力と異なる第２の駆動力によって移動する第２の着色粒子によって形成される第２の着色粒子群が封入された画像形成媒体に、前記第１の着色粒子群によって画像を形成する画像形成装置であって、
第１の着色粒子を駆動することにより第１の着色粒子によって表示媒体に形成されている画像を消去する第１の消去手段と、
第２の着色粒子を駆動することにより第２の着色粒子によって表示媒体に形成されている画像を消去する第２の消去手段と、
画像情報に基づいて前記第１の着色粒子を駆動することにより、前記第１及び第２の消去手段によって画像が消去された前記画像表示媒体に、第１の着色粒子群によって画像を形成する画像形成手段と、
を有することを特徴とする画像形成装置。
【請求項８】
対で配置された少なくとも一方が光透過性の基板間に、第１の駆動力によって移動する第１の着色粒子によって形成される第１の着色粒子群及び、前記第１の駆動力と異なる第２の駆動力によって移動する第２の着色粒子群によって形成される第２の着色粒子群が封入され、前記第１の着色粒子群によって画像が形成された画像表示媒体に、前記第２の着色粒子によって画像を追記する追記装置であって、前記第２の駆動力によって前記第２の着色粒子のみを前記光透過性基板の所定領域へ移動する書込み手段を含むことを特徴とする追記装置。
【請求項９】
前記第２の駆動力によって前記着色粒子のみを前記光透過性の基板から離反させる消去手段を含むことを特徴とする請求項８に記載の追記装置。
【発明の詳細な説明】
【０００１】
【発明の属する技術分野】
本発明は、画像や文字等を表示すると共に繰返し書換えが可能な画像表示媒体、画像表示媒体に画像や文字等を形成する画像形成装置及び、元の画像や文字に重ねて新たな画像や文字等を追記する追記装置に関する。
【０００２】
【従来の技術】
繰返し書換えが可能なシート状の画像表示媒体としては、Ｔｗｉｓｔｉｎｇ  Ｂａｌｌ  Ｄｉｓｐｌａｙ（２色塗分け粒子回転表示）、電気遊動、磁気遊動、サーマルリライタブル媒体、メモリ性を有する液晶などが提案されている。
【０００３】
例えば、抵抗膜や透明電極マトリックスを用いる方式、超音波振動を利用する方式等によってＬＣＤ、ＥＬパネルなどの画像表示媒体上に、手書き感覚で画像や文字等を入力し、入力した画像や文字を表示可能となる。このときに、メモリ性表示媒体を用いることにより、表示画像を保存可能とする提案がなされている（例えば、特許文献１参照。）。
【０００４】
一方、このような画像表示媒体を用いるときに、元の画像に重ねて新たな画像を追記する提案がなされている。例えば、液晶表示媒体を用いた表示システムには、液晶表示媒体に第１の画像を書き込む第１のデータ書込み装置と、液晶表示媒体に保持された第１のデータを読取るデータ読取り装置に加えて、データ読取り装置によって読取った第１のデータに基づいた第２のデータを液晶表示媒体に書き込む第２のデータ書込み装置を設けることにより液晶表示媒体に追記する提案がなされている（例えば、特許文献２参照。）。
【０００５】
ところで、画像等を表示する表示媒体には、着色粒子を使用して表示すると共に、表示内容の書換えが可能で繰返して使用可能であり、かつ、メモリ性を備えたものとして所謂電子ペーパーなどが提案されている。
【０００６】
着色粒子を使用した表示媒体としては、例えば、対向する２枚のシートの間に白色液体を封入し、この白色液体中に磁性黒色粒子を分散させたものや、２枚の基板間にそれぞれ逆極性に帯電した白色粒子と黒色粒子を挟み込んだものなどがある。
【０００７】
このような表示媒体では、メモリ性を備えていることから、書込み装置から取り外した状態でも、書き込まれた画像が保持されている。すなわち、書き込まれた画像を保持した状態で書込み装置から取り外すことが可能となっている。
【０００８】
このような表示媒体に、例えばペン形状等の携帯性、取扱い性に優れた書込み手段を用いて画像を形成する提案がなされている（例えば、特許文献３参照。）。
【０００９】
このような書込み手段を用いることにより、画像が形成された状態で書き込み装置から取り外した表示媒体に、元の画像や文字等に重ねて、新たな画像や文字等を追記することが可能となる。
【００１０】
【特許文献１】
特開平１−９２８２６号公報
【特許文献２】
特開２００２−４２０７１号公報
【特許文献３】
特開２００２−１４３８０号公報
【００１１】
【発明が解決しようとする課題】
しかしながら、従来の追記方法では、追記した画像の消去を行うと、元の画像まで消去されてしまうという問題がある。また、元の画像と同じ色でしか追記できないために、追記部分が目立たなく、また、元の画像と追記画像の判別ができなくなってしまうという問題がある。
【００１２】
本発明は上記事実に鑑みてなされたものであり、元の画像を失うことなく、追記画像の消去や書換えが可能となる画像表示媒体、その画像表示媒体へ画像を形成する画像形成装置及び追記装置を提案することを目的とする。
【００１３】
【課題を解決するための手段】
上記目的を達成するための本発明の画像表示媒体は、少なくとも一方が画像表示面となる光透過性を有する一対の基板と、前記一対の基板間に封入され、第１の駆動力によって移動する第１の着色粒子が前記光透過性基板に付着することにより画像を形成可能な第１の着色粒子群と、前記第１の着色粒子群と共に前記一対の基板間に封入され、前記第１の駆動力と異なる駆動力によって移動する第２の着色粒子が前記光透過性基板に付着することにより画像を形成可能な第２の着色粒子群と、を含むことを特徴とする。
【００１４】
この発明によれば、一対の基板間に第１の着色粒子群と第２の着色粒子群を封入している。また、第１の着色粒子群の着色粒子と第２の着色粒子群の第２の着色粒子は、異なる駆動力によって一対の基板間を移動する。
【００１５】
これにより、第１及び第２の駆動力によって別々に画像を形成することができるので、例えば、第１の着色粒子によって形成した画像に、第２の着色粒子によって画像を追記することができる。このときに、第２の駆動力は、第１の着色粒子を移動させることがないので、元の画像を損ねてしまうことがない。
【００１６】
このような本発明の画像表示媒体は、前記第１又は前記第２の着色粒子の何れか一方を前記一対の基板間に形成される電界によって移動する帯電粒子とすることができ、また、前記第１又は前記第２の着色粒子の何れか一方を、前記一対の基板間に形成される磁界によって移動する磁性粒子とすることができる。
【００１７】
帯電粒子を適用するときには、駆動力として電界を形成すれば良く、また、磁性粒子を適用するときには、駆動力として磁界を形成すれば良い。
【００１８】
また、本発明の画像表示媒体では、前記第１又は第２の着色粒子の何れか一方が帯電粒子であるときに、前記光透過性基板に対向する基板上に、前記帯電粒子を移動する電界を形成可能な非磁性電極を設けることができる。
【００１９】
このような本発明の画像表示媒体では、前記第１の着色粒子と前記第２の着色粒子が異なる色に着色されていることを特徴とする。また、前記帯電粒子が、異なる色に着色された正電荷粒子と、負電荷粒子を含むことができる。
【００２０】
これにより、元の画像と追記する画像を、異なる色で形成することができるので、元の画像と追記した画像を明瞭に判別することができる。
【００２１】
本発明の画像形成装置は、対で配置された少なくとも一方が光透過性の基板間に、第１の駆動力によって移動する第１の着色粒子によって形成される第１の着色粒子群及び、前記第１の駆動力と異なる第２の駆動力によって移動する第２の着色粒子によって形成される第２の着色粒子群が封入された画像形成媒体に、前記第１の着色粒子群によって画像を形成する画像形成装置であって、第１の着色粒子を駆動することにより第１の着色粒子によって表示媒体に形成されている画像を消去する第１の消去手段と、第２の着色粒子を駆動することにより第２の着色粒子によって表示媒体に形成されている画像を消去する第２の消去手段と、画像情報に基づいて前記第１の着色粒子を駆動することにより、前記第１及び第２の消去手段によって画像が消去された前記画像表示媒体に、第１の着色粒子群によって画像を形成する画像形成手段と、を有することを特徴とする。
【００２２】
この発明によれば、第１及び第２の消去手段によって第１の着色粒子と第２の着色粒子のそれぞれによって形成した画像を消去する。この後に、画像形成手段が、第１の着色粒子によって画像を形成する。
【００２３】
これにより、第１の着色粒子のみを用いた画像を、画像表示媒体に形成することができる。
【００２４】
また、本発明の追記装置は、対で配置された少なくとも一方が光透過性の基板間に、第１の駆動力によって移動する第１の着色粒子によって形成される第１の着色粒子群及び、前記第１の駆動力と異なる第２の駆動力によって移動する第２の着色粒子によって形成される第２の着色粒子群が封入され、前記第１の着色粒子群によって画像が形成された画像表示媒体に、前記第２の着色粒子によって画像を追記する追記装置であって、前記第２の駆動力によって前記第２の着色粒子のみを前記光透過性基板の所定領域へ移動する書込み手段を含むことを特徴とする。
【００２５】
この発明によれば、書込み手段が、第１の着色粒子によって画像が形成された画像表示媒体内の第２の着色粒子のみを、第２の駆動力によって移動する。
【００２６】
これにより、元の画像を損ねることなく新たな画像を的確に追記することができる。
【００２７】
このような本発明の追記装置においては、前記第２の駆動力によって前記着色粒子のみを前記光透過性の基板から離反させる消去手段を含むことができる。
【００２８】
これにより、元の画像を損ねることなく、追記した画像のみを確実に消去することができる。
【００２９】
【発明の実施の形態】
以下に図面を参照しながら本発明の実施の形態を説明する。
〔第１の実施の形態〕
図１には、第１の実施の形態に適用した画像表示媒体１０の概略構成を示している。この画像表示媒体１０は、基板１２、１４が対で配置されている。この基板１２、１４は、少なくとも一方が光透過性を有しており、本実施の形態では、一例として図１の紙面上方側の基板１２が光透過性を有しており、以下では、基板１２を透明表示基板（透明表示基板１２）とし、基板１４を背面基板（背面基板１４）とする。
【００３０】
画像表示媒体１０は、透明表示基板１２と背面基板１４とが所定間隔に保持されており、この透明表示基板１２と背面基板１４との間には、着色液体１６が封入されている。なお、本実施の形態では、一例として、白色に着色された着色液体１６を用いており、以下では白色液体１６として説明する。
【００３１】
これにより、画像表示媒体１０は、画像が表示されていないときには、透明表示基板１２が白色となっている。
【００３２】
このように構成されている画像表示媒体１０は、白色液体１６を封入している透明表示基板１２と背面基板１４の間隔を約１００μｍ程度とすることにより、図２に示すように、シート状に形成されている。なお、透明表示基板１２と背面基板１４の間隔は、これに限るものではない。また、画像表示媒体１０の外形形状は、矩形シート状に限るものではなく、任意の形状を適用することができる。
【００３３】
ところで、画像表示媒体１０に用いている背面基板１４には、透明表示基板１２側の略全面に亘って、ＩＯＴや銅等の非磁性材料を用いた非磁性電極１８が形成されている。
【００３４】
一方、この画像表示媒体１０には、白色液体１６中に、第１及び第２の着色粒子として、多数の磁性粒子２０と帯電粒子２２とが分散されて封入されている。
【００３５】
磁性粒子２０は、磁力によって移動するようになっている。これにより、例えば透明表示基板１２側に磁石を配置することにより、白色液体１６中の磁性粒子２０は、透明表示基板１２側へ移動し、背面基板１４側に磁石を配置することにより、背面基板１４側に移動するようになっている。
【００３６】
また、帯電粒子２２は、透明表示基板１２と背面基板１４の間に電界を形成することにより、帯電している電荷の極性と電界の向きに応じて透明表示基板１２側又は背面基板１４側へ移動するようになっている。
【００３７】
なお、第１の実施の形態では、一例として正に帯電している帯電粒子２２を用いており、これにより、透明表示基板１２側にマイナス電極を配置し、背面基板１４側にプラス電極を配置することにより、帯電粒子２２が透明表示基板１２側に移動し、逆に、透明表示基板１２側にプラス電極を配置し、背面基板１４側にマイナス電極を配置することにより、帯電粒子２２が背面基板１４側に移動する。
【００３８】
画像表示媒体１０では、磁性粒子２０及び帯電粒子２２のそれぞれの大きさ（外径）を一例として約３μｍとしており、これにより、画像表示媒体１０では、磁界ないし電界が除かれることにより、磁性粒子２０及び帯電粒子２２が透明表示基板１２又は背面基板１４に付着した状態で保持される。
【００３９】
一方、画像表示媒体１０では、磁性粒子２０と帯電粒子２２とが、互いに異なる色に着色されており、また、それぞれの色は、白色液体１６の色とも異なっている。なお、第１の実施の形態では、一例として磁性粒子２０を黒色に着色しており（以下「黒色磁性粒子２０」とする）、帯電粒子２２を赤色に着色している（以下「赤色帯電粒子２２」とする）。
【００４０】
これにより、黒色磁性粒子２０及び赤色帯電粒子２２が透明表示基板１２に付着することにより、透明表示基板１２上（透明表示基板１２の上方側）でその色を認識できるようになっている。したがって、画像表示媒体１０では、黒色磁性粒子２０及び赤色帯電粒子２２のそれぞれが文字や画像を形成するように透明表示基板１２に付着することにより、白色のベース上に黒色の画像と赤色の画像が形成され、それぞれの色の表示画像や文字が保持されるようになっている。
【００４１】
図２及び図３には、画像表示媒体１０に画像を形成する画像形成装置の一例として、第１の実施の形態に適用した画像形成装置２４を示している。この画像形成装置２４は、略矩形箱体形状に形成されたケーシング２６を備えている。
【００４２】
ケーシング２６には、一つの面に挿入口２８が形成され、これに対向する面に排出口３０（図３参照、図２では図示省略）が形成されている。この挿入口２８及び排出口３０は、シート状の画像表示媒体１０が通過可能となるスリット状に形成されている。
【００４３】
図２に示すように、ケーシング２６には、例えば挿入口２８側に挿入台３２が設けられ、排出口３０側に排出トレイ３４が設けられており、画像表示媒体１０は、透明表示基板１２側の面が上方へ向けられて挿入台３２に載置された状態で、挿入口２８へ向けて押し入れられる。
【００４４】
図３に示すように、ケーシング２６内には、挿入口２８と排出口３０との間に複数のローラ対３６が設けられており、これらのローラ対３６が所定の回転速度で回転駆動されるようになっている。なお、本実施の形態では一例として、ローラ対３６Ａ、３６Ｂ、３６Ｃの３対が設けられており、総称するときには、ローラ対３６とする。
【００４５】
これにより、画像形成装置２４には、挿入口２８と排出口３０の間に、画像表示媒体１０を案内搬送する直線状の搬送路が形成され、挿入口２８から挿入された画像表示媒体１０は、ローラ対３６Ａに挟持されることによりケーシング２６内に引入れられ、ケーシング２６内を一定速度で搬送された後、ローラ対３６Ｃに挟持されて排出口３０から排出トレイ３４上へ送り出される。なお、画像表示媒体１０の搬送路は、直線状に限らず、画像表示媒体１０を適切に搬送可能であれば、任意に湾曲して形成したものであっても良い。
【００４６】
一方、画像形成装置２４のケーシング２６内には、挿入口２８側のローラ対３６Ａ、３６Ｂの間に、第１及び第２の消去手段として消去ヘッド３８及び消去電極４０が配置されている。
【００４７】
消去ヘッド３８は、画像表示媒体１０の搬送路の下方側に配置され、磁石３８Ａが画像表示媒体１０の搬送路に向けられている。
【００４８】
消去電極４０は、電極４０Ａと電極４０Ｂによって形成され、電極４０Ａ、４０Ｂが画像表示媒体１０の搬送路を挟んで上下に対で配置されている。また、図４（Ｂ）に示すように、画像形成装置２４には、所定の電圧の直流電極を出力する消去電源４２が設けられており、この消去電源４２のプラス側が、画像表示媒体１０の搬送路の上方側に配置されている電極４０Ａに接続し、マイナス側が、画像表示媒体１０の搬送路の下方側に配置されている電極４０Ｂに接続しており、これにより、一対の電極４０Ａ、４０Ｂの間に、赤色帯電粒子２２を下方（電極４０Ｂ側）へ移動する電界が生じるようにしている。なお、消去ヘッド３８及び消去電極４０は、画像表示媒体１０の搬送方向と直交する方向である幅方向の全域に対向するように配置されている。
【００４９】
図４（Ａ）に示すように、画像形成装置２４内を搬送される画像表示媒体１０は、消去ヘッド３８上を通過するときに、白色液体１６中に浮遊しているか透明表示基板１２に付着している黒色磁性粒子２０が背面基板１４側に移動して背面基板１４側に保持される。
【００５０】
また、図４（Ｂ）に示すように、画像表示媒体１０は、消去電極４０の電極４０Ａ、４０Ｂの間を通過するときに、白色液体１６中に浮遊しているか透明表示基板１２に付着している赤色帯電粒子２２が、背面基板１４側へ移動して、背面基板１６側に保持される。なお、図４（Ａ）ないし図４（Ｃ）では、矢印によって画像表示媒体１０の移動方向（相対的な位相方向）を示している。
【００５１】
これにより、画像表示媒体１０では、黒色磁性粒子２０及び赤色帯電粒子２２が、透明表示基板１２から離反して、透明表示基板１２上に表示されている画像や文字等が確実に消去される（図示省略）。
【００５２】
一方、図３に示すように、画像形成装置２４には、排出口３０側のローラ対３６Ｂ、３６Ｃの間に、画像形成手段として磁気記録ヘッド４４が設けられている。磁気記録ヘッド４４は、図示しない主走査移動手段によって画像表示媒体１０の搬送に同期して、像表示媒体１０の幅方向に沿って移動する。なお、このような主走査移動手段は、従来公知の任意の構成を適用でき、本実施の形態では、詳細な説明を省略する。
【００５３】
また、画像形成装置２４には、パーソナルコンピュータなどの図示しない画像処理装置が接続されており、画像形成装置１０は、この画像処理装置から、画像表示媒体１０に記録する画像や文字、記号等（以下、総称して「画像」とする）に応じたデジタル信号（画像データ）が入力されることにより、画像表示媒体１０を一定速度で搬送しながら磁気記録ヘッド４４を主走査方向へ移動させる。このときに、磁気記録ヘッド４４を画像データに応じてイン／オフ（帯磁／消磁）する。
【００５４】
これにより、図４（Ｃ）に示すように、磁気記録ヘッド４４の帯磁位置で、透明表示基板１２側に黒色磁性粒子２０が移動して保持して画素を形成する。
【００５５】
画像表示媒体１０には、この黒色磁性粒子２０によって形成される画素によって、画像データに応じた画像が形成され、この画像が保持される。
【００５６】
一方、画像表示媒体１０では、画像形成装置２４によって画像が形成されるとき、赤色帯電粒子２２が背面基板１４に付着した状態で保持されている。
【００５７】
これにより、画像表示媒体１０では、画像形成装置２４によって形成した黒色磁性粒子２０によって形成した画像に重ねて、赤色帯電粒子２２を用いた画像を形成する追記が可能なっている。
【００５８】
図５には、このときの追記装置として第１の実施の形態に適用する追記装置４６の概略構成を示している。
【００５９】
追記装置４６は、電源ボックス４８及び書込みペン５０を備えている。また、追記装置４６は、イレーザー５２を設けることができる。書込みペン５０には、先端に書込み電極５０Ａが設けられ、この書込み電極５０Ａが電源ボックス４８に接続される。また、イレーザー５２には、先端部に消去電極５２Ａが設けられ、この消去電極５２Ａが電源ボックス４８に接続される。なお、書込みペン５０の書込み電極５０Ａ及びイレーザー５２の消去電極５２Ｂは、表面に保護膜が形成されており、画像表示媒体１０の透明表示基板１２の表面に接触したときに、互いにキズ等が生じるのを防止している。
【００６０】
画像表示媒体１０には、非磁性電極１８（図５では図示省略、図１参照）に接続しているターミナル部１８Ａが周縁部に設けられており、追記装置４６を使用するときには、このターミナル１８Ａが電源ボックス４８に接続される。
【００６１】
一方、図６に示すように、追記装置４６には、電源ボックス４８に、切替スイッチ５４と共に、所定電圧の直流電力を出力する電源５６が設けられている。
【００６２】
追記装置４６では、電源ボックス４８の切替スイッチ５４を書込み位置（図６で実線で示す）に操作することにより、画像表示媒体１０の非磁性電極１８がプラス側となるように非磁性電極１８と書込みペン５０の書込み電極５０Ａのの間に電源５６の電圧を印加する。
【００６３】
また、追記装置４６では、切替スイッチ５４を消去位置（図６で二点鎖線で示す）に操作することにより、イレーザー５２の消去電極５２Ａがプラス側となるように画像表示媒体１０の非磁性電極１８とイレーザー５２の消去電極５２Ａの間に、電源５６の電圧を印加するようになっている。
【００６４】
ここで、追記装置４６を用いた画像表示媒体１０への書き込み（追記）及び追記した画像等の消去を説明する。
【００６５】
追記装置４６によって画像表示媒体１０に画像を書き込むときには、切替スイッチ５４を書込み位置に操作する。この状態で、書込みペン５０の先端を、画像表示媒体１０の透明表示基板１２の表面へ接触ないし接近させることにより、書込みペン５０の書込み電極５０Ａと、非磁性電極１８の間に電界が生じ、この電界によって白色液体１６中の赤色帯電粒子２２が、透明表示基板１２上の書込み電極５０Ａへ向けて移動する。
【００６６】
これにより、図７（Ａ）に示すように、透明表示基板１２に赤色帯電粒子２２による赤色の画素が成形される。書込みペン５０を用いて、この画素を透明表示基板１２の所望の位置に形成することにより、画像表示媒体１０に所望の画像を追記することができる。
【００６７】
このときに、画像形成装置１０によって画像表示媒体１０に形成されている元の画像には、黒色磁性粒子２０が用いられており、書込みペン５０がこの黒色磁性粒子２０を移動させてしまうことがない。
【００６８】
これにより、画像表示媒体１０に所望の画像を追記するときに、元の画像が損なわれてしまうことがない。また、画像表示媒体１０では、黒色磁性粒子２０と赤色帯電粒子２２を用いているので、元の画像と追記した画像を明瞭に判別することができる。
【００６９】
一方、追記装置４６には、イレーザー５２が設けられており、切替スイッチ５４を消去位置へ操作することにより、画像表示媒体１０の非磁性電極１８とイレーザー５２の消去電極５２Ａの間に、電源５６から電圧が印加される。
【００７０】
図７（Ｂ）に示すように、イレーザー５２の消去電極５２Ａを、透明表示基板１２の表面に接触させるか接近させることにより、透明表示基板１２と背面基板１４の非磁性電極１８の間に、赤色帯電粒子２２を背面基盤１４側へ移動するように電界が生じる。
【００７１】
したがって、イレーザー５２の消去電極５２Ａに対向する位置に、書込みペン５０によって書き込んで赤色帯電粒子２２によって形成された画素があれば、この画像が、画像表示媒体１０上から消去される。
【００７２】
このとき、イレーザー５２の消去電極５２Ａに対向する位置に、元の画像を形成する黒色磁性粒子２０があっても、この黒色磁性粒子２０が移動してしまうことがないので、元の画像を損ねることなく、追記した画像の一部ないし全部を確実に消去することができる。
【００７３】
一方、画像形成装置２４によって画像表示媒体１０に形成した画像は、黒色磁性粒子２０が用いられている。ここから、図７（Ｃ）に示すように、磁石５８を設けたイレーザー６０を用い、このイレーザー６０を、画像表示媒体１０の背面基板１４に接近させる。
【００７４】
これにより、画像表示媒体１０には、透明表示基板１２と背面基板１４の間に、黒色磁性粒子２０を背面基板１４側へ移動する磁界が生じる。ここから、イレーザー６０を用いることにより、画像表示媒体１０に形成している元の画像の一部ないし全部の消去が可能となる。
【００７５】
このときに、赤色帯電粒子２２が、イレーザー６０による磁界によって移動することがないので、追記した画像を残して元の画像を消去することも可能となっている。
【００７６】
なお、第１の実施の形態では、画像形成装置２４を用いて、黒色磁性粒子２０による画像を画像表示媒体１０に形成し、追記装置４６を用いて、赤色帯電粒子２２による追記画像を画像表示媒体１０に形成するように説明したが、赤色帯電粒子２２による画像が形成された画像表示媒体１０に、黒色磁性粒子２０による画像を追記するようにしても良い。
【００７７】
このときに、例えば画像形成装置２４の磁気記録ヘッド４４に換えて、図８及び図９に示すように、画像形成手段として記録ヘッド６２を用いた画像形成装置６４を適用することができる。なお、画像形成装置６４の基本的構成は、画像形成装置２４の構成を適用することができる。
【００７８】
この画像形成装置６４に用いる記録ヘッド６２には、画像表示媒体１０の幅方向に沿って所定間隔で書込み電極６６が設けられている。なお、記録ヘッド６２に設ける書込み電極６６のそれぞれは、例えば、画像表示媒体１０に形成する画像の１画素分の大きさとすることができる。
【００７９】
画像形成装置６４には、記録ヘッド６２に対向して共通電極６８が設けられている。この共通電極６８は、帯板状に形成されて、長手方向が画像表示媒体１０の幅方向に沿うように配置され、記録ヘッド６２に設けていている全ての書込み電極６６に対向するようになっており、画像形成装置６４内を搬送される画像表示媒体１０は、記録ヘッド６２と共通電極６８の間を通過する。
【００８０】
図９に示すように、画像形成装置６４には、書込み電源７０が設けられており、この書込み電源７０によって、書込み電極６６のそれぞれと共通電極６８の間に所定の電圧を印加可能となっている。
【００８１】
これにより、画像形成装置６４では、画像表示媒体１０を所定速度で搬送しながら、画像データに基づいて記録ヘッド６２の各書込み電極６６に電圧を印加（オン／オフ）することにより、画像表示媒体１０に、赤色帯電粒子２２による画像を形成することができる。
【００８２】
画像形成装置６４によって画像が形成された画像表示媒体１０に対しては、例えば、図１０に示すように、先端に磁石７２を設けた書込みペン７４を用いて追記することができる。
【００８３】
すなわち、画像表示媒体１０に書込みペン７４の磁石７２を接近させることにより、この書込みペン７４の先端（磁石７２）に対向する位置に、磁界が生じる。この磁界によって黒色磁性粒子２０が、透明表示基板１２へ向けて移動して黒色の画素を形成する。
【００８４】
これにより、書込みペン７４を用いて、画像表示媒体１０に黒色磁性粒子２０による画像の追記を行うことができる。
【００８５】
また、書込みペン７４によって追記した画像を消去するときには、図７（Ｃ）に示すように、イレーザー６０を用いることができ、これにより、画像表示媒体１０に形成されていた元の画像を損ねることなく、追記した画像を的確に消去することができる。
【００８６】
さらに、画像形成装置６４によって画像を形成した画像表示媒体１０には、例えば、図７（Ｂ）に示すように、追記装置４６のイレーザー５２を用いることにより、追記した画像を損ねることなく、元の画像を消去することもできる。
【００８７】
なお、第１の実施の形態では、白色液体１６、黒色磁性粒子２０及び赤色帯電粒子２２を用いて画像を形成したが、着色液体１６、磁性粒子２０及び帯電粒子２２の色の組み合わせはこれに限るものでなく、互いに異なる色であれば任意の組み合わせを用いることができる。また、元の画像と追記画像の識別が不要であれば、磁性粒子２０と帯電粒子２２を同じ色にしても良い。
【００８８】
また、第１の実施の形態では、一例として画像形成装置２４、６４に、消去用ヘッド（消去ヘッド３８、消去電極４０）と画像形成用ヘッド（磁気記録ヘッド４４、記録ヘッド６２）を別々に設けて説明したが、１つのヘッドで画像の消去と書き込みを行うことも可能である。
〔第２の実施の形態〕
次に第２の実施の形態を説明する。図１１には、第２の実施の形態に適用した画像表示媒体８０の概略構成を示している。なお、以下で説明する第２の実施の形態において、前記した第１の実施の形態と同一の部品には、同一の符号を付与してその説明を省略する。
【００８９】
この画像表示媒体８０は、対で配置されている透明表示基板１２と背面基板１４が所定間隔（例えば約２００μｍ）で保持され、透明表示基板１２と背面基板１４の間に所定の空隙８２が形成されている。また、背面基板１４には、透明表示基板１２側の面に非磁性電極１８が設けられている。なお、この空隙８２内には、任意の気体を封入することができる。また、気体に換えて透明液体を封入したものであっても良い。
【００９０】
画像表示媒体８０内には、この空隙８２内に、第１及び第２の着色粒子となる多数の磁性粒子と帯電粒子が封入されている。第２の実施の形態では、一例として、磁性粒子として赤色に着色された赤色磁性粒子８４を用いている。また、帯電粒子としては、白色で負（マイナス電荷）に帯電された白色帯電粒子８６と、黒色で正（プラス電荷）に帯電された黒色帯電粒子８８を用いている。なお、磁性粒子（赤色磁性粒子８１）及び帯電粒子（白色帯電粒子８６、クロスオーバー色帯電粒子８８）のそれぞれの大きさ（外径）は、一例として約１０μｍのもの使用している。
【００９１】
なお、白色帯電粒子８６及び黒色帯電粒子８８は、微小でかつ極めて軽量であるために、互いの吸引力は、透明表示基板１２や背面基板１４との間に生じる吸着力に比べて僅かであり、電界等によって容易に分離、移動するようになっている。また、磁性粒子及び帯電粒子の色は、これに限らず任意の組み合わせを用いることができる。
【００９２】
赤色磁性粒子８４、白色帯電粒子８６及び黒色帯電粒子８８が、透明表示基板１２又は、背面基板１４の何れか一方に付着した状態となる。
【００９３】
これにより、画像表示媒体８０では、透明表示基板１２の全面に白色帯電粒子８６が付着することにより画像が消去された状態となり、また、白色帯電粒子８６と入れ替わって、透明表示基板１２に赤色磁性粒子８４ないし黒色帯電粒子８８が付着して画素を形成することにより、画像が形成される。
【００９４】
図１２には、この画像補湯磁媒体８０に画像を形成する画像形成装置の一例とした画像形成装置９０の概略構成を示している。
【００９５】
この画像形成装置９０は、ローラ対３６Ａ、３６Ｂの間に、消去ヘッド３８と共に消去電極９２が設けられ、ローラ対３６Ｂ、３６Ｃの間に記録ヘッド６２と共通電極６８とが、画像表示媒体８０の搬送路を挟んで上下に対で配置されている。
【００９６】
図１２及び図１３（Ａ）に示すように、消去電極９２は、長手方向が画像表示媒体８０の搬送幅方向に沿った帯板状の電極９２Ａ、９２Ｂが、画像表示媒体８０の搬送路を挟んで上下に対で設けられている。
【００９７】
また、図１３（Ａ）に示すように、画像形成装置９０には、消去電源４２が設けられており、この消去電源４２のプラス側が、搬送路の上方側の電極９２Ａに接続し、マイナス側が搬送路の上方側の電極９２Ｂに接続している。
【００９８】
これにより、画像表示媒体８０は、消去ヘッド３８上を通過した後に、電極９２Ａ、９２Ｂの間を通過することにより、白色帯電粒子８６が透明表示基板１２側に移動し、黒色帯電粒子８８が赤色磁性粒子８４と共に背面基板１４側に移動して保持され、透明表示基板１２の全面が、画像消去状態である白色となる。
【００９９】
一方、図１３（Ｂ）に示すように、画像形成装置９０では、画像表示媒体８０が、記録ヘッド６２と共通電極６８の間を通過するときに、画像表示媒体８０に形成する画像データに応じて、記録ヘッド６２の書込み電極６６と共通電極６８の間に、書込み電源７０から出力される電圧を印加する。
【０１００】
画像表示媒体８０では、該当位置の白色帯電粒子８６が背面基板１４側に移動し、黒色帯電粒子８８が背面表示基板１２側に移動して、画像表示媒体８０に形成する画像に応じた画素を形成する。
【０１０１】
このように、画像形成装置９０では、黒色帯電粒子８８を用いて画像表示媒体８０に所定の画像を形成することができる。
【０１０２】
一方、画像表示媒体８０には、白色帯電粒子８６及び黒色帯電粒子８８に加えて、赤色磁性粒子８４が設けられており、この赤色磁性粒子８４を用いて、黒色帯電粒子８８によって形成した画像に重ねて、所望の画像を形成する追記が可能となっている。
【０１０３】
図１４（Ａ）に示すように、画像表示媒体８０に追記を行うときには、先端に磁石７２を設けた書込みペン７４を用いることができる。画像表示媒体８０では、書込みペン７４の先端の磁石７２を透明表示基板１２の表面に接触させるか接近させることにより、この磁石７２によって形成される磁界（磁力）によって、赤色磁性粒子８４が透明表示基板１２側へ移動する。
【０１０４】
これにより、書込みペン７４の先端に対向する位置の透明表示基板１２に、赤色の画素が形成される。したがって、黒色帯電粒子８８によって画像表示媒体８０に形成されている元の画像に重ねて、赤色磁性粒子８４を用いて追記画像を形成することができる。
【０１０５】
また、図１４（Ｂ）に示すように、画像表示媒体８０では、追記した画像を消去するときに、磁石５８が設けられたイレーザー６０を用いることができる。このときには、イレーザー６０の電極５８を、背面基板１４側から画像表示媒体８０の所定位置に接近させる。
【０１０６】
これにより、イレーザー６０の磁石５８による磁力によって、赤色着色粒子８４が背面基板１４側へ移動し、この赤色磁性粒子８４の後に、白色帯電粒子８６が入り込む。
【０１０７】
すなわち、図１４（Ａ）に示すように、赤色磁性粒子８４が透明表示基板１２に付着したときに、白色帯電粒子８６は、背面基板１４側へ移動することなく、透明表示基板の近傍に保持される。このために、図１４（Ｂ）に示すように、赤色磁性粒子８４が透明表示基板１２から離れたときに、白色帯電粒子８６が赤色磁性粒子８４の跡に入り込んで透明表示基板１２に付着する。
【０１０８】
したがって、画像表示媒体８０に形成した元の画像を損ねることなく、追記した画像を消去することができる。
【０１０９】
なお、第２の実施の形態では、白色磁性粒子８６と黒色帯電粒子８８によって画像表示媒体８０に形成した元の画像に、赤色磁性粒子８４を用いて上書きするようにしたが、これに限るものではなく、白色帯電粒子８６を用いて形成した白地のベースに、赤色磁性粒子８４を用いて画像を形成し、この画像に、黒色磁性粒子８８を用いて追記する構成であっても良い。
【０１１０】
この場合、画像形成装置９０の記録ヘッド６２と共通電極６８に換えて、磁気記録ヘッド４４を用いて画像形成装置を形成すれば良く、赤色磁性粒子８４を用いて形成した画像に重ねて、黒色帯電粒子８８を用いて追記するときには、追記装置４６等の構成を適用しても良い。
【０１１１】
なお、以上説明した第１及び第２の実施の形態では、背面基板１２の全面に非磁性電極１８を設けた画像表示媒体１０、８０を例に説明したが、本発明の画像表示媒体としては、これに限るものではない。
【０１１２】
例えば図１５に示すように、背面基板１４上に、例えば１画素分のサイズの微小電極９４をマトリックス状に緊密に配置し、これらの微小電極９４のそれぞれに、画像データに応じて電圧を印加可能とした画像表示媒体９６などの適用しても良い。この場合、微小電極９４に対向するように、透明表示基板１２の全面を覆うように平面電極を設け、この平面電極と個々の微小電極９４の間に、画像データに応じて、所定の電圧を印加することにより画像を形成することができる。
【０１１３】
また、画像表示媒体としては、背面基板１４に非磁性電極１８を取り去ったものであっても良い。すなわち、非磁性電極を用いずに、透明表示基板１２と背面基板１４の間に着色磁性粒子と着色帯電粒子を封入したものであっても良い。
【０１１４】
このような画像表示媒体に対して、着色帯電粒子を用いて画像を追記するときに平面電極を用い、画像表示媒体の背面側をこの平面電極に載置して、書込みペン５０等と平面電極との間に所定の電圧を印加するようにすれば良い。
【０１１５】
さらに、本実施の形態では、駆動力を磁力（磁界）とする磁性粒子と、駆動力を電圧（電界）とする帯電粒子を用いたが、第１及び第２の着色粒子の組み合わせはこれに限るものではなく、異なる駆動力であれば任意の駆動力によって移動する着色粒子の組み合わせを適用することができる。
【０１１６】
【発明の効果】
以上説明したように本発明の画像表示媒体では、異なる駆動力で一対の基板間を移動する第１及び第２の着色粒子を用いることにより、元の画像を損ねることなく、新たな画像の追記や追記した画像のみの消去が可能となる。また、第１及び第２の着色粒子として異なる色を用いることにより、元の画像と追記した画像を明瞭に判別することができるという優れた効果が得られる。
【０１１７】
また、本発明の画像形成装置によれば、第１の着色粒子のみを用いた画像形成が可能と出あり、本発明の追記装置によれば、元の画像を損ねることなく、新たな画像の追記及び追記した画像のみの消去が可能となる。
【図面の簡単な説明】
【図１】第１の実施の形態に適用した画像表示媒体の概略構成図である。
【図２】第１の実施の形態の画像表示媒体に画像を形成する画像形成装置の一例を示す概略斜視図である。
【図３】図２に示す画像形成装置の概略構成図である。
【図４】（Ａ）乃至（Ｃ）は画像形成装置での画像表示媒体の黒色磁性粒子と赤色帯電粒子の移動を示す概略図であり、（Ａ）は黒色磁性粒子によって形成された画像の消去を示し、（Ｂ）は赤色帯電粒子による画像の消去を示し、（Ｃ）は、黒色磁性粒子を用いた画像形成を示している。
【図５】第１の実施の形態に適用した画像表示媒体と追記装置を示す概略斜視図である。
【図６】追記装置の概略構成図である。
【図７】（Ａ）乃至（Ｃ）は画像の追記及び消去を示す画像表示媒体の概略図であり、（Ａ）は画像の追記を示し、（Ｂ）は追記画像の消去を示し、（Ｃ）は元の画像の消去を示している。
【図８】第１の実施の形態する画像形成装置の他の一例を示す要部の概略斜視図である。
【図９】図８に示す画像形成装置を用いた画像形成媒体への画像形成を示す概略図である。
【図１０】図８に示す画像形成装置によって画像が形成された画像表示媒体への追記を示す概略図である。
【図１１】第２の実施の形態に適用した画像表示媒体の概略構成図である。
【図１２】第１の実施の形態の画像表示媒体に画像を形成する画像形成装置の一例を示す概略構成図である。
【図１３】（Ａ）及び（Ｂ）は画像形成装置での画像表示媒体の赤色磁性粒子、白色帯電粒子及び黒色帯電粒子の移動を示す概略図であり、（Ａ）は黒色帯電粒子によって形成された画像の消去を示し、（Ｂ）は赤色磁性粒子を用いた画像形成を示している。
【図１４】（Ａ）及び（Ｂ）は画像の追記及び消去を示す画像表示媒体の概略図であり、（Ａ）は画像の追記を示し、（Ｂ）は追記画像の消去を示している。
【図１５】本発明に適用される画像表示媒体の他の一例を示す要部の概略斜視図である。
【符号の説明】
１０、８０、９６    画像表示媒体
１２    透明表示基板（光透過性基板、一対の基板）
１４    背面基板（一対の基板）
１６    白色液体
１８    非磁性電極
２０    黒色磁性粒子（第１又は第２の着色粒子、磁性粒子）
２２    赤色帯電粒子（第１又は第２の着色粒子、帯電粒子）
２４、６４、９０    画像形成装置
３８    消去ヘッド（第１又は第２の消去手段）
４０    消去電極（第１又は第２の消去手段）
４４    磁気記録ヘッド（画像形成手段）
４６    追記装置
５０、７４    書込みペン（書込み手段）
５２、６０    イレーザー（消去手段）
８４    赤色磁性粒子（第１又は第２の着色粒子、磁性粒子）
８６    白色帯電粒子（第１又は第２の着色粒子、帯電粒子）
８８    黒色帯電粒子（第１又は第２の着色粒子、帯電粒子）
８４    微小電極（非磁性電極）
【図１】
2004287068.tif 000003
【図２】
2004287068.tif 000004
【図３】
2004287068.tif 000005
【図４】
2004287068.tif 000006
【図５】
2004287068.tif 000007
【図６】
2004287068.tif 000008
【図７】
2004287068.tif 000009
【図８】
2004287068.tif 000010
【図９】
2004287068.tif 000011
【図１０】
2004287068.tif 000012
【図１１】
2004287068.tif 000013
【図１２】
2004287068.tif 000014
【図１３】
2004287068.tif 000015
【図１４】
2004287068.tif 000016
【図１５】
2004287068.tif 000017